(57)【要約】【課題】ＡＶ機器において、近距離無線通信を利用して、煩雑な操作を必要とすることなく、ユーザー個別の初期設定を実現可能にする。【解決手段】判定部１６は、近距離無線通信部１５が取得した携帯端末装置の識別情報が、記憶部１７に記憶された登録識別情報と一致するか否かを判定し、近傍にある登録された携帯端末装置を検出する。設定部２２は、判定部１６によって検出された携帯端末装置に対応する初期設定内容を記憶部１７から読み出し、設定する。出力パワー制御部１４は、携帯端末装置の探索において、当初は、出力パワーを初期値に設定し、登録された携帯端末装置が検出されない間、出力パワーを段階的に大きくする。【選択図】図１
2013153405.tif 000002
【特許請求の範囲】
【請求項１】
ＡＶ機器であって、
近距離無線通信を行い、通信が確立した携帯端末装置の識別情報を取得可能である近距離無線通信部と、
前記近距離無線通信部の出力パワーを制御する出力パワー制御部と、
当該ＡＶ機器に登録された携帯端末装置の識別情報である登録識別情報と、登録された携帯端末装置に対応する当該ＡＶ機器の初期設定内容とを記憶する記憶部と、
前記近距離無線通信部によって取得された識別情報が、前記記憶部に記憶された登録識別情報と一致するか否かを判定することによって、当該ＡＶ機器の近傍にある、登録された携帯端末装置の検出を行う判定部と、
当該ＡＶ機器の電源がオンになったとき、前記判定部によって検出された携帯端末装置に対応する初期設定内容を前記記憶部から読み出し、読み出した初期設定内容を当該ＡＶ機器に設定する設定部とを備え、
前記近距離無線通信部、前記出力パワー制御部、および前記判定部が動作することによって、当該ＡＶ機器の近傍にある携帯端末装置の探索を行い、
前記出力パワー制御部は、前記探索において、当初は、前記出力パワーを初期値に設定し、登録された携帯端末装置が検出されない間、前記出力パワーを段階的に大きくする
ことを特徴とするＡＶ機器。
【請求項２】
請求項１記載のＡＶ機器において、
前記出力パワー制御部は、前記探索において、前記出力パワーが所定の上限値に達しても、登録された携帯端末装置が検出されなかったとき、前記出力パワーを停止する
ことを特徴とするＡＶ機器。
【請求項３】
請求項２記載のＡＶ機器において、
前記所定の上限値は、当該ＡＶ機器の外部から、ユーザーによって設定可能に構成されている
ことを特徴とするＡＶ機器。
【請求項４】
請求項１記載のＡＶ機器において、
前記出力パワー制御部は、前記探索において、登録された携帯端末装置が検出されたとき、前記出力パワーを停止する
ことを特徴とするＡＶ機器。
【請求項５】
請求項１記載のＡＶ機器において、
前記探索は、当該ＡＶ機器の電源がオンになったとき、実行される
ことを特徴とするＡＶ機器。
【請求項６】
請求項１記載のＡＶ機器において、
前記探索は、当該ＡＶ機器が待機中に、実行される
ことを特徴とするＡＶ機器。
【請求項７】
請求項１記載のＡＶ機器において、
前記判定部は、登録された携帯端末装置を複数検出したとき、所定の優先順位に従って、初期設定を読み出す携帯端末装置を決定する
ことを特徴とするＡＶ機器。
【請求項８】
請求項１記載のＡＶ機器において、
前記初期設定内容は、音量の設定、チャンネル選択の設定、および録画コンテンツの再生位置の設定のうち少なくともいずれか１つを含む
ことを特徴とするＡＶ機器。
【請求項９】
ＡＶ機器の初期設定方法であって、
前記ＡＶ機器は、
近距離無線通信を行い、通信が確立した携帯端末装置の識別情報を取得可能である近距離無線通信部と、
当該ＡＶ機器に登録された携帯端末装置の識別情報である登録識別情報と、登録された携帯端末装置に対応する当該ＡＶ機器の初期設定内容とを記憶する記憶部）とを備えたものであり、
前記近距離無線通信部によって取得された識別情報が、前記記憶部に記憶された登録識別情報と一致するか否かを判定することによって、当該ＡＶ機器の近傍にある、登録された携帯端末装置を検出するステップと、
当該ＡＶ機器の電源がオンになったとき、前記検出ステップにおいて検出された携帯端末装置に対応する初期設定内容を前記記憶部から読み出し、読み出した初期設定内容を当該ＡＶ機器に設定するステップとを備え、
前記検出ステップにおいて、当初は、前記近距離無線通信部の出力パワーを初期値に設定し、登録された携帯端末装置が検出されない間、前記出力パワーを段階的に大きくする
ことを特徴とするＡＶ機器の初期設定方法。
【発明の詳細な説明】
【技術分野】
【０００１】
本発明は、ＡＶ機器に関し、特に近距離無線通信機能を備えたＴＶ等のＡＶ機器に関するものである。
【背景技術】
【０００２】
ＴＶ等のＡＶ機器において、通信可能な携帯電話機を検出した場合、検出した携帯電話機の識別子（ＩＤ）に対し、ＡＶ機器が記録している識別子に対応する識別画像をＡＶ機器の表示部に表示することで、視聴可能範囲（操作信号を送信可能な位置）に存在する携帯電話機を、視聴者に認識させることを可能にする技術が開示されている（例えば、特許文献１）。
【先行技術文献】
【特許文献】
【０００３】
【特許文献１】特開２０１１−６１７４５号公報
【発明の概要】
【発明が解決しようとする課題】
【０００４】
ＡＶ機器の電源をオンにしたとき、初期設定として、例えば、チャンネル、音量、録画コンテンツの再生位置などが設定される。ＡＶ機器が例えば家族など複数のユーザーによって共有されている場合には、このような初期設定は、ユーザー毎にそれぞれ行われるのが好ましい。しかしながら、ＡＶ機器には通常、リモコン装置は１つしか付いていないので、ユーザー個別の初期設定を実現しようとすると、電源をオンにした時の操作が煩雑になる。
【０００５】
本発明は、ＡＶ機器において、近距離無線通信を利用して、煩雑な操作を必要とすることなく、ユーザー個別の初期設定を実現可能にすることを目的とする。
【課題を解決するための手段】
【０００６】
本発明の一態様では、ＡＶ機器は、近距離無線通信を行い、通信が確立した携帯端末装置の識別情報を取得可能である近距離無線通信部と、前記近距離無線通信部の出力パワーを制御する出力パワー制御部と、当該ＡＶ機器に登録された携帯端末装置の識別情報である登録識別情報と、登録された携帯端末装置に対応する当該ＡＶ機器の初期設定内容とを記憶する記憶部と、前記近距離無線通信部によって取得された識別情報が、前記記憶部に記憶された登録識別情報と一致するか否かを判定することによって、当該ＡＶ機器の近傍にある、登録された携帯端末装置の検出を行う判定部と、当該ＡＶ機器の電源がオンになったとき、前記判定部によって検出された携帯端末装置に対応する初期設定内容を前記記憶部から読み出し、読み出した初期設定内容を当該ＡＶ機器に設定する設定部とを備え、前記近距離無線通信部、前記出力パワー制御部、および前記判定部が動作することによって、当該ＡＶ機器の近傍にある携帯端末装置の探索を行い、前記出力パワー制御部は、前記探索において、当初は、前記出力パワーを初期値に設定し、登録された携帯端末装置が検出されない間、前記出力パワーを段階的に大きくする。
【０００７】
本発明の別の態様では、ＡＶ機器の初期設定方法において、前記ＡＶ機器は、近距離無線通信を行い、通信が確立した携帯端末装置の識別情報を取得可能である近距離無線通信部と、当該ＡＶ機器に登録された携帯端末装置の識別情報である登録識別情報と、登録された携帯端末装置に対応する当該ＡＶ機器の初期設定内容とを記憶する記憶部とを備えたものであり、前記近距離無線通信部によって取得された識別情報が、前記記憶部に記憶された登録識別情報と一致するか否かを判定することによって、当該ＡＶ機器の近傍にある、登録された携帯端末装置を検出するステップと、当該ＡＶ機器の電源がオンになったとき、前記検出ステップにおいて検出された携帯端末装置に対応する初期設定内容を前記記憶部から読み出し、読み出した初期設定内容を当該ＡＶ機器に設定するステップとを備え、前記検出ステップにおいて、当初は、前記近距離無線通信部の出力パワーを初期値に設定し、登録された携帯端末装置が検出されない間、前記出力パワーを段階的に大きくする。
【０００８】
これらの態様によると、近距離無線通信部が取得した携帯端末装置の識別情報が、記憶部に記憶された登録識別情報と一致するか否かを判定することによって、ＡＶ機器の近傍にある登録された携帯端末装置が検出される。そして、ＡＶ機器の電源がオンになったとき、検出された携帯端末装置に対応する初期設定内容が記憶部から読み出され、設定される。これにより、ＡＶ機器に対して電源オンの操作がなされたとき、操作を行ったユーザーを、所有している携帯端末装置の識別情報から特定することができ、そのユーザーに対応した初期設定を行うことができる。さらには、近距離無線通信部の出力パワーは、当初は、初期値に設定され、登録された携帯端末装置が検出されない間、段階的に大きくされる。これにより、ＡＶ機器により近い位置にいるユーザーを、操作を行ったユーザーとして、確実に特定することが可能となる。
【発明の効果】
【０００９】
本発明のＡＶ機器によれば、ＡＶ機器に対して電源オンの操作がなされたとき、操作を行ったユーザーを確実に特定することができ、この特定したユーザーに対応する初期設定を行うことができる。
【図面の簡単な説明】
【００１０】
【図１】実施形態に係るＡＶ機器の一例としてのテレビの構成を示すブロック図である。
【図２】記憶部の記憶内容の一例であり、（ａ）は登録ユーザーアドレス記憶部の記憶内容、（ｂ）は初期チャンネル記憶部の記憶内容、（ｃ）はレジューム記憶部の記憶内容、（ｄ）は初期音量記憶部の記憶内容である。
【図３】出力パワーに応じた探索ゾーンの例を示す模式図である。
【図４】実施形態におけるテレビの初期設定方法を示すフローチャートである。
【図５】テレビと端末間の通信のシーケンスを示す図である。
【発明を実施するための形態】
【００１１】
以下、本発明の実施の形態について、図面を参照しながら説明する。
【００１２】
図１は本実施形態に係るＡＶ機器の一例としてのテレビの構成を示すブロック図である。図１では、テレビの近傍にある複数の携帯端末装置を併せて図示している。
【００１３】
図１において、テレビ１１は、例えばBluetooth（登録商標）機能によって近距離無線通信を行う近距離無線通信部１５を備えている。携帯端末装置（以下、適宜「端末」と記す）１２−ａ，１２−ｂ，１２−ｃは例えば携帯電話や高機能携帯電話（スマートフォン）であり、例えばBluetooth機能によってテレビ１１と通信可能である。
【００１４】
テレビ１１はさらに、操作部１３、近距離無線通信部１５の出力パワーを制御する出力パワー制御部１４、テレビ１１の近傍にある端末の検出を行い、テレビ１１の操作を行ったユーザーを判定する判定部としての検出ユーザー判定部１６、記憶部１７、設定部２２、チャンネル切替部２６、再生制御部２７、および音量制御部２８を備えている。またここでは、テレビ１１は録画機能を有しているものとする。
【００１５】
操作部１３は、ユーザーがテレビ１１の操作を行うためのものであり、例えば、テレビ１１本体に備わっている主電源スイッチであってもよいし、また付属の赤外線リモコン等で操作するものであってもよい。
【００１６】
記憶部１７は、テレビ１１に登録された端末の識別情報である登録識別情報と、登録された端末に対応するテレビ１１の初期設定内容とを記憶している。本実施形態では、端末の識別情報として、近距離無線機能を有する端末の固有の番号であるユーザーアドレスが用いられる。すなわち記憶部１７は、登録された端末のユーザーアドレスを記憶する登録ユーザーアドレス記憶部１８を備えている。また本実施形態では、テレビ１１の初期設定として、チャンネル選択の設定、録画コンテンツの再生位置の設定、および音量の設定を記憶するものとする。すなわち記憶部１７は、初期チャンネル記憶部１９、レジューム記憶部２０および初期音量記憶部２１を備えており、それぞれ、登録されたユーザーアドレスに対応した初期設定内容を記憶している。
【００１７】
図２は記憶部１７に記憶された内容の一例を示す図である。図２（ａ）は登録ユーザーアドレス記憶部１８の記憶内容であり、登録されたユーザーアドレスが記憶されている。本実施形態では、１２バイトの値で構成されているBluetoothアドレスがユーザーアドレスとして用いられる。このユーザーアドレスは、例えばテレビ１１を設置したとき、あるいは、新しい携帯端末装置を購入したとき等に登録すればよい。図２（ｂ）は初期チャンネル記憶部１９の記憶内容であり、各ユーザーアドレスに対して初期チャンネルが記憶されている。図２（ｃ）はレジューム記憶部２０の記憶内容であり、各ユーザーアドレスに対してコンテンツＩＤと再生位置が記憶されている。ただし、ユーザーアドレス「０００１１２３４Ｄ７９Ｃ」に対しては、コンテンツＩＤ及び再生位置は記憶されていない。図２（ｄ）は初期音量記憶部２１の記憶内容であり、各ユーザーアドレスに対して初期音量が記憶されている。
【００１８】
なお、登録ユーザーアドレス記憶部１８、初期チャンネル記憶部１９、レジューム記憶部２０および初期音量記憶部２１は、別個の記憶部として構成されていてもよいし、全部またはその一部について、一体の記憶部として構成されていてもよい。
【００１９】
設定部２２は、検出ユーザー判定部１６によって検出された端末に対応する初期設定内容を記憶部１７から読み出し、この初期設定内容をテレビ１１に設定する。チャンネル設定部２３は、初期チャンネル記憶部１９から読み出された初期チャンネルの情報を受信すると、チャンネル切替部２６に対してチャンネル設定を指示する。再生開始位置設定部２４は、レジューム記憶部２０から読み出されたレジューム情報すなわちコンテンツＩＤおよび再生位置を受信すると、再生制御部２７に対してレジューム情報の設定を指示する。音量設定部２５は、初期音量記憶部２１から読み出された初期音量の情報を受信すると、音量制御部２８に対して音量設定を指示する。
【００２０】
出力パワー制御部１４は、近距離無線通信部１５の出力パワーを段階的に制御することが可能である。本実施形態では、出力パワー制御部１４は近距離無線通信部１５の出力パワーを３段階に切り換えることができるものとする。図３は出力パワーの切り換えに応じた探索ゾーンの一例を示す模式図である。図３では、探索ゾーン１，２，３がそれぞれ、出力パワーが小、中、大のときに対応している。本実施形態では、テレビ１１の近傍にある端末の探索を行うとき、当初は、近距離無線通信部１５の出力パワーを初期値（探索ゾーン１に対応）に設定し、登録された端末が検出されない間、出力パワーを段階的に大きくするものとする。
【００２１】
各端末１２−ａ，１２−ｂ，１２−ｃは、それぞれ、例えばBluetooth機能によって近距離無線通信を行う端末側近距離無線通信部１２１と、ユーザーアドレスを記憶する端末側記憶部１２２とを備えている。なお、図１では、端末１２−ａ，１２−ｃについては内部構成の図示を省略している。
【００２２】
図４のフローチャートに従って、本実施形態におけるテレビ１１の初期設定方法について説明する。ここでは、初期チャンネル記憶部１９には、登録ユーザー毎に設定された固定のチャンネル情報が記憶されており、初期音量記憶部２１には、登録ユーザー毎に設定された固定の音量情報が記憶されているものとする。また、レジューム記憶部２０は、登録ユーザーが検出されてから以降、録画コンテンツの再生が実行される度に当該登録ユーザーのレジューム情報が更新されるものとする。すなわち、レジューム記憶部２０には、登録ユーザーが最後に視聴した録画コンテンツのコンテンツＩＤと再生開始位置が記憶されている。
【００２３】
ユーザーは、操作部１３を操作することにより、テレビ１１の電源をＯＮにする（Ｓ４１）。電源がＯＮされると、まず出力パワー制御部１４は、探索ゾーン１に対応した出力パワーを、近距離無線通信部１５に対して設定する（Ｓ４２）。
【００２４】
次に出力パワー制御部１４は近距離無線通信部１５に対して、近距離無線機能を有する不特定多数の端末に対する問い合わせ(Inquiry)の発行（ブロードキャスト）を指示する。また、近距離無線通信部１５から発行する問い合わせの継続時間を測定するため、出力パワー制御部１４は問い合わせの発行開始指示と同時にタイマーをスタートする。近距離無線通信部１５からの問い合わせは、いずれかの端末からの応答メッセージを受信するまで、あるいは、予め定めておいた所定時間（例えば５秒間）が経過するまで、継続する（Ｓ４３）。
【００２５】
図５はテレビと端末との間の通信シーケンスを示す図である。図５では、テレビ１１が近距離無線通信を用いて問い合わせを行い、例えば端末１２−ｂが応答している状態を示している。端末１２−ｂ（他の端末１２−ａ，１２−ｃも同様）は、近距離無線通信部１５からの問い合わせを受信すると、近距離無線通信部１５に対して応答メッセージを送信する。送信する応答メッセージには、個々の端末を識別するためのユーザーアドレス（ここではBluetoothアドレス）が含まれている。ユーザーアドレスは端末側記憶部１２２に保持されており、端末側近距離無線通信部１２１が端末側記憶部１２２からユーザーアドレスを読み出し、応答メッセージに含めて送信する。
【００２６】
近距離無線通信部１５は端末側近距離無線通信部１２１からの応答メッセージを受信すると（Ｓ４３で「応答あり」）、問い合わせの発行を中断し、受信した応答メッセージの内容を解析して、応答メッセージに含まれているユーザーアドレスを検出ユーザー判定部１６に転送する。検出ユーザー判定部１６は、転送されたユーザーアドレスが登録ユーザーアドレス記憶部１８に登録されているユーザーアドレスと一致するか否かを判定する（Ｓ４４）。
【００２７】
検出ユーザー判定部１６は、転送されたユーザーアドレスが登録ユーザーアドレスと一致すると判定すると（Ｓ４４でＹｅｓ）、このユーザーアドレスを記憶部１７に対して転送する。さらに検出ユーザー判定部１６は、出力パワー制御部１４に対して問い合わせの終了を指示し、この指示を受けて出力パワー制御部１４は近距離無線通信部１５からの問い合わせを終了させる。
【００２８】
記憶部１７にユーザーアドレスが転送されたとき、このユーザーアドレスに対応した初期設定内容が読み出され、設定部２２に転送される。すなわち、初期チャンネル記憶部１９から初期チャンネルの情報が読み出され、チャンネル設定部２３に転送される。レジューム記憶部２０からレジューム情報すなわちコンテンツＩＤおよび再生位置が読み出され、再生開始位置設定部２４に転送される。初期音量記憶部２１から初期音量の情報が読み出され、音量設定部２５に転送される。
【００２９】
設定部２２は転送された初期設定内容に従って、登録ユーザーアドレスに対応した初期設定を行う。すなわち、チャンネル設定部２３はチャンネル情報を受信すると、チャンネル切替部２６に対してチャンネル切替を指示する。再生開始位置設定部２４はレジューム情報を受信すると、再生制御部２７に対してレジューム情報の変更を指示する。音量設定部２５は音量情報を受信すると、音量制御部２８に対して音量設定の変更を指示する（Ｓ４７）。
【００３０】
一方、ステップＳ４４において、転送されたユーザーアドレスが登録ユーザーアドレスと一致せず、未登録のアドレスであると判定したときは（Ｓ４４でＮｏ）、検出ユーザー判定部１６は出力パワー制御部１４に対して未登録アドレスであったことを通知する。出力パワー制御部１４はこの通知を受けて、中断していた問い合わせの発行の再開を近距離無線通信部１５に指示し、これにより問い合わせの発行が再開される（Ｓ４８）。
【００３１】
また、ステップＳ４３において、出力パワー制御部１４がタイマーで計測した所定時間内に、登録されたユーザーアドレスからの応答メッセージを受信しなかったときは（Ｓ４３で「応答なし」）、出力パワー制御部１４は現在の出力パワーが所定の上限値に達しているか否かを判定する（Ｓ４５）。そして、現在の出力パワーが上限値に達していないときは（Ｓ４５でＮｏ）、出力パワーの設定を１段階上げるよう近距離無線通信部１５に対して指示する（Ｓ４６）。現在の出力パワーが探索ゾーン１に対応しているときは、探索ゾーン２に対応する出力パワーに設定変更する。そしてタイマーをゼロ秒にリセットして、探索ゾーン２において、上述したのと同様に登録ユーザーアドレスの探索を再度実行する。
【００３２】
探索ゾーン２においても登録ユーザーアドレスが検出されなかったときは、探索ゾーン３に対応する出力パワーすなわち上限値に設定変更する。そして、もし探索ゾーン３における探索でも登録ユーザーアドレスが検出されなかったときは（Ｓ４５でＹｅｓ）、出力パワー制御部１４は近距離無線通信部１５に対して問い合わせの終了を指示する。
【００３３】
このように本実施形態では、当初は、近距離無線通信の出力パワーを初期値に設定し、出力パワーを段階的に大きくしていき、探索ゾーンの範囲を拡げてゆく。これにより、テレビ１１により近い位置にいるユーザーを、操作を行ったユーザーとして確実に特定することが可能となる。さらに、当初の探索ゾーン１から外れた位置にある端末であっても、検出することが可能になる。
【００３４】
なお、初期チャンネル記憶部１９には固定のチャンネル情報が記憶されているものとしたが、これに代えて例えば、登録された端末が検出されてから以降、表示チャンネルが切り替わる毎にチャンネル情報を更新して、最後に視聴したチャンネルが当該ユーザーアドレスのチャンネル情報として記憶されるようにしてもよい。同様に、初期音量記憶部２１には固定の音量情報が記憶されているものとしたが、これに代えて例えば、登録された端末が検出されてから以降、音量切り替えが実行される毎に音量情報を更新して、最後に設定した音量が当該ユーザーアドレスの音量情報として記憶されるようにしてもよい。
【００３５】
またここでは、テレビ１１は録画機能を有しているものとしたが、テレビ１１自体は録画機能を必ずしも有していなくてもよい。この場合には、例えば他の機器で録画したＤＶＤまたはＢＤコンテンツに対して、上述したのと同様にレジューム再生の初期設定を行うようにしてもよい。
【００３６】
また、ここでは、音量、チャンネル選択、および録画コンテンツの再生位置について、初期設定を行うものとしたが、これら全てについて初期設定を行う必要は必ずしもなく、その一部について初期設定を行うようにしてもよい。また、ここで示したもの以外について初期設定を行ってもかまわない。
【００３７】
また、ここでは、出力パワーは３段階に設定されるものとしたが、これに限られるものではない。
【００３８】
なお、出力パワーの上限値は、既定の固定値であってもよいし、あるいは、テレビ１１の外部から、ユーザーによって設定可能にしておいてもよい。例えば、テレビ１１を設置するとき等において、視聴する部屋の広さをユーザーが入力することによって、出力パワーの上限値がテレビ１１側で自動的に設定されるようにしてもよい。
【００３９】
なお、ある探索ゾーンにおいて、複数の登録端末が検出された場合には、初期設定を読み出す端末を、所定の優先順位に従って決定するようにしてもよい。例えば、ユーザーが予め、１）祖母、２）父、３）子、というように優先順位を設定できるようにしてもよいし、あるいは、視聴した頻度に従ってテレビ１１側で自動的に優先順位を定めるようにしてもよい。
【００４０】
なお、図４のフローでは、テレビ１１の電源がオンされた後に、登録端末の探索を行うものとしたが、これに限られるものではない。例えば、テレビ１１が待機中のときに登録端末の探索を行っておき、電源がオンされたとき、待機中に検出した登録端末に対応した初期設定を行うようにしてもよい。これにより、電源がオンされてから初期設定がなされるまでの時間を大幅に短縮することができる。また、待機中に登録端末の探索を行う場合には、消費電力の観点から、例えば所定の時間間隔を空けて、探索を行うようにするのが好ましい。
【００４１】
なお、本実施形態では、ＡＶ機器の一例としてテレビを例にとって説明したが、これに限られるものではなく、例えば、デジタル放送を受信して録画するレコーダであってもよい。また、近距離無線の一例としてBluetoothを用いるものとしたが、これに限られるものではない。例えば家庭での利用を想定した場合には、通信可能距離が１０ｍ程度の近距離無線であれば、特に問題はないものと考えられる。
【産業上の利用可能性】
【００４２】
本発明では、ＡＶ機器に対して電源オンの操作がなされた場合に、操作を行ったユーザーを特定し、特定したユーザーに対応する初期設定を行うことができるので、例えば、テレビやレコーダ等の利便性向上に有用である。
【符号の説明】
【００４３】
１１  テレビ（ＡＶ機器）
１２−ａ，１２−ｂ，１２−ｃ  携帯端末装置
１４  出力パワー制御部
１５  近距離無線通信部
１６  検出ユーザー判定部（判定部）
１７  記憶部
２２  設定部
【図１】
2013153405.tif 000003
【図２】
2013153405.tif 000004
【図３】
2013153405.tif 000005
【図４】
2013153405.tif 000006
【図５】
2013153405.tif 000007